(57)【要約】【課題】「複数の音響空間層を持つ音響信号」の形式に対応した音響信号記述法及び当該音響信号記述法に対応した音響信号作成装置及び音響信号受信装置を提供する。【解決手段】複数の音響空間層を表現できる音響信号記述法であって、音響空間層の数と、音響空間層のタイプと、言語情報と、を含む音響信号記述法。【選択図】図１
2014142475.tif 000002
【特許請求の範囲】
【請求項１】
複数の音響空間層を表現できる音響信号記述法であって、
音響空間層の数と、
音響空間層のタイプと、
言語情報と、を含む音響信号記述法。
【請求項２】
前記音響空間層のタイプは、音響空間層が、言語に係らず使用されるインターナショナルサウンドの音響空間層であるか、特定の言語で構成される音響空間層であるか、を示す、請求項１に記載の音響信号記述法。
【請求項３】
複数の音響空間層を表現できる音響信号記述法であって、
音響空間層の数と、
各音響空間層が映像に連動するかどうかを示す映像リンク識別子と、を含む音響信号記述法。
【請求項４】
複数の音響空間層を表現できる音響信号記述法による音響信号を作成する音響信号作成装置であって、
音響空間層の数と、音響空間層のタイプと、言語情報とを含むメタデータを作成するメタデータ付加部と、
入力音響信号及び前記メタデータに基づき前記音響信号記述法による前記音響信号を作成するコーディング部と、
前記音響信号をビットストリームに多重化するマルチプレクサと、
を備える音響信号作成装置。
【請求項５】
複数の音響空間層を表現できる音響信号記述法による音響信号を再生する音響信号再生装置であって、
視聴者の環境情報を入力する環境情報入力部と、
前記音響信号に含まれる音響空間層の数、音響空間層のタイプ、及び言語情報と、前記環境情報とに応じて、前記音響信号を変換して再生するレンダリング再生部と、を備える音響信号再生装置。
【請求項６】
前記音響空間層のタイプは、音響空間層が、言語に係らず使用されるインターナショナルサウンドの音響空間層であるか、特定の言語で構成される音響空間層であるか、を示し、
前記レンダリング再生部は、前記環境情報入力部により選択された前記特定の言語の音響信号を、前記インターナショナルサウンドに加算して再生する、請求項５に記載の音響信号再生装置。
【請求項７】
複数の音響空間層を表現できる音響信号記述法による音響信号を作成する音響信号作成装置であって、
音響空間層の数と、各音響空間層が映像に連動するかどうかを示す映像リンク識別子とを含むメタデータを作成するメタデータ付加部と、
入力音響信号及び前記メタデータに基づき前記音響信号記述法による前記音響信号を作成するコーディング部と、
前記音響信号をビットストリームに多重化するマルチプレクサと、
を備える音響信号作成装置。
【請求項８】
複数の音響空間層を表現できる音響信号記述法による音響信号を再生する音響信号再生装置であって、
視聴者の環境情報を入力する環境情報入力部と、
前記音響信号に含まれる音響空間層の数及び各音響空間層が映像に連動するかどうかを示す映像リンク識別子と、前記環境情報とに応じて、前記音響信号を変換して再生するレンダリング再生部と、を備える音響信号再生装置。
【請求項９】
前記レンダリング再生部は、前記映像リンク識別子が、音響空間層が映像に連動することを示す場合、当該音響空間層の音響信号に、前記環境情報入力部からの映像ディスプレイの情報に基づくレンダリング処理を施して再生する、請求項８に記載の音響信号再生装置。
【発明の詳細な説明】
【技術分野】
【０００１】
この発明は、複数チャンネルのスピーカによる音響再生のため、メタデータを用いて音響信号に関する情報を表現する音響信号記述法、音響信号作成装置、音響信号再生装置に関する。
【背景技術】
【０００２】
2チャンネル音響方式、5.1チャンネル音響方式や、5.1チャンネル音響方式を超えた「3次元(立体)音響方式」など複数の音響方式の形式で番組制作が行われている。これらの音響方式を共通のフォーマットで表現することで、次世代オーディオシステムに適用可能であり種々の方面への活用が可能な柔軟なシステムとすることができる。オーディオ関連の国際標準化団体であるITU-Rでは、ITU-R勧告としてadvanced multichannel audio systemに対する要求条件を定めている（非特許文献１）。
【先行技術文献】
【非特許文献】
【０００３】
【非特許文献１】"Performance requirements for an advanced multichannel stereophonic sound system for use with or without accompanying picture", ITU-R勧告BS.1909
【発明の概要】
【発明が解決しようとする課題】
【０００４】
種々の音響方式を表現可能な共通のフォーマットとして、「単一の音響空間層を持つ音響信号」の検討は進んでいる。しかし、番組制作において、番組交換時の受取先や家庭の環境に合わせて受信した音響信号の変形・変換・入替を容易に行うことができるように「複数の音響空間層を持つ音響信号」の形式で音響番組制作を行う場合がある。例えば、番組交換の受取先や家庭においては、番組制作と同一条件の映像ディスプレイサイズを用いない場合があり、受取先の映像環境に合わせて音響信号の変形が必要とされる。また、番組の再生言語の選択や受取先の要望に合わせてナレーション信号の再生位置の調整を行いたいことがある。従来、「複数の音響空間層を持つ音響信号」の記述法については検討されていなかった。
【０００５】
したがって、かかる点に鑑みてなされた本発明の目的は、「複数の音響空間層を持つ音響信号」の形式に対応した音響信号記述法及び当該音響信号記述法に対応した音響信号作成装置及び音響信号再生装置を提供することにある。
【課題を解決するための手段】
【０００６】
上述した諸課題を解決すべく、本発明に係る音響信号記述法は、複数の音響空間層を表現できる音響信号記述法であって、音響空間層の数と、音響空間層のタイプと、言語情報と、を含むものである。
【０００７】
また、前記音響空間層のタイプは、音響空間層が、言語に係らず使用されるインターナショナルサウンドの音響空間層であるか、特定の言語で構成される音響空間層であるか、を示す、ことが好ましい。
【０００８】
さらに、本発明に係る音響信号記述法は、複数の音響空間層を表現できる音響信号記述法であって、音響空間層の数と、各音響空間層が映像に連動するかどうかを示す映像リンク識別子と、を含むものである。
【０００９】
さらに、本発明に係る音響信号作成装置は、複数の音響空間層を表現できる音響信号記述法による音響信号を作成する音響信号作成装置であって、音響空間層の数と、音響空間層のタイプと、言語情報とを含むメタデータを作成するメタデータ付加部と、入力音響信号及び前記メタデータに基づき前記音響信号記述法による前記音響信号を作成するコーディング部と、前記音響信号をビットストリームに多重化するマルチプレクサと、を備えるものである。
【００１０】
さらに、本発明に係る音響信号再生装置は、複数の音響空間層を表現できる音響信号記述法による音響信号を再生する音響信号再生装置であって、視聴者の環境情報を入力する環境情報入力部と、前記音響信号に含まれる音響空間層の数、音響空間層のタイプ、及び言語情報と、前記環境情報とに応じて、前記音響信号を変換して再生するレンダリング再生部と、を備えるものである。
【００１１】
また、前記音響空間層のタイプは、音響空間層が、言語に係らず使用されるインターナショナルサウンドの音響空間層であるか、特定の言語で構成される音響空間層であるか、を示し、前記レンダリング再生部は、前記環境情報入力部により選択された前記特定の言語の音響信号を、前記インターナショナルサウンドに加算して再生することが好ましい。
【００１２】
さらに、本発明に係る他の音響信号作成装置は、複数の音響空間層を表現できる音響信号記述法による音響信号を作成する音響信号作成装置であって、音響空間層の数と、各音響空間層が映像に連動するかどうかを示す映像リンク識別子とを含むメタデータを作成するメタデータ付加部と、入力音響信号及び前記メタデータに基づき前記音響信号記述法による前記音響信号を作成するコーディング部と、前記音響信号をビットストリームに多重化するマルチプレクサと、を備えるものである。
【００１３】
さらに、本発明に係る他の音響信号再生装置は、複数の音響空間層を表現できる音響信号記述法による音響信号を再生する音響信号再生装置であって、視聴者の環境情報を入力する環境情報入力部と、前記音響信号に含まれる音響空間層の数及び各音響空間層が映像に連動するかどうかを示す映像リンク識別子と、前記環境情報とに応じて、前記音響信号を変換して再生するレンダリング再生部と、を備えるものである。
【００１４】
また、前記レンダリング再生部は、前記映像リンク識別子が、音響空間層が映像に連動することを示す場合、当該音響空間層の音響信号に、前記環境情報入力部からの映像ディスプレイの情報に基づくレンダリング処理を施して再生する、ことが好ましい。
【発明の効果】
【００１５】
本発明に係る音響信号記述法、音響信号作成装置及び音響信号再生装置によれば、「複数の音響空間層を持つ音響信号」の表現や、当該音響信号を用いた番組作成及び視聴が可能となる。
【図面の簡単な説明】
【００１６】
【図１】本発明の一実施形態に係るExtended structure descriptorの構造の一例を示す図である。
【図２】本発明の一実施形態に係る音響信号作成装置の構成を示す図である。
【図３】本発明の一実施形態に係る音響信号再生装置の構成を示す図である。
【図４】ナレーション言語選択に関する複数音響空間層の概念図である。
【図５】番組作成環境と視聴環境とのディスプレイの違いを示す図である。
【図６】映像音声の一致不一致に関する複数音響空間層の概念図である。
【図７】Basic structure descriptorの構造の一例を示す図である。
【発明を実施するための形態】
【００１７】
以降、諸図面を参照しながら、本発明の実施態様を詳細に説明する。
【００１８】
本発明は、「単一の音響空間層を持つ音響信号」を表現する記述法（以下「Basic structure descriptor」という）を拡張し、「複数の音響空間層を持つ音響信号」を表現する記述法（以下「Extended structure descriptor」という）とするものである。Basic structure descriptorについて、本件出願人は韓国特許出願（10-2012-0112984）を行っており、本件の理解のため、以下、Basic structure descriptorを概説する。
【００１９】
マルチチャンネルの音響空間層を表現するためには、どのチャンネルをどの位置から再生するかを記述しなければならない。この記述情報をdescriptorと呼び、この記述情報はメタデータとして該当マルチチャンネル音響信号のヘッダ又はマルチチャンネルを構成する各オーディオチャンネルのヘッダに記述される。
【００２０】
表１は、Basic structure descriptorの用語を説明する表である。Basic structure descriptorは、例えばマルチチャンネル音響の完プロ番組（complete mix、再生に必要な音が全て収録された番組）の作成・交換に使用される。
【表１】
2014142475.tif 000003
【００２１】
Sound Essenceは、番組に関する記述、Sound-fieldに関する記述（名称）、その他関連する記述で構成される。
【００２２】
Sound-fieldは、図７に示すとおり、階層的な構成をもつSound-field configurationで記述する。
【００２３】
Sound Channelは、Channel labelによる記述、及び／又は、Channel Positionによる記述で記述する。
【００２４】
これ以降、Basic structure descriptorの各記述子（descriptor）を説明する。なお、多様な交換シナリオを想定し、一部記述子には重複する項目があるが、番組作成者などは、交換シナリオ毎に適宜必要な記述子を選択することができる。
【００２５】
Basic structure descriptorは、(A)Sound Essence descriptorsと、(B)Sound-field configuration descriptorsと、(C)Sound Channel descriptorsとを含む。
【００２６】
表２は、Basic structure descriptorにおける(A)Sound Essence descriptorsを示す表である。
【表２】
2014142475.tif 000004
【００２７】
表３は、Basic structure descriptor における(B)Sound-field configuration descriptorsを示す表である。
【表３】
2014142475.tif 000005
【００２８】
表４は、Basic structure descriptor における(C)Sound Channel descriptorsを示す表である。
【表４】
2014142475.tif 000006
【００２９】
表５は、Sound Channel descriptorsが含むChannel label dataの記述子であるC.1 Channel label descriptorsを示す表である。
【表５】
2014142475.tif 000007
【００３０】
表６は、Sound Channel descriptorsが含むChannel position dataの記述子であるC.2 Channel position descriptorsを示す表である。
【表６】
2014142475.tif 000008
【００３１】
本発明は、上記で述べた「単一の音響空間層を持つ音響信号」の記述法であるBasic Structure Descriptorsを拡張し、「複数の音響空間層を持つ音響信号」の記述法であるExtended Structure Descriptorsとするものである。
【００３２】
表７は、Extended structure descriptorの用語を説明する表である。
【表７】
2014142475.tif 000009
【００３３】
Sound Essenceは、番組に関する記述、Sound-fieldに関する記述（名称）、その他関連する記述で構成される。
【００３４】
Extended structure descriptorにおけるSound-fieldは、図１の通り、階層的な構成をもつ複数のSound-field-layer configuration(Group of sound-field configuration) (Sound space configuration)で記述する。
【００３５】
Sound Channelは、Channel labelによる記述、及び／又は、Channel Positionによる記述で記述する。
【００３６】
表８は、Extended structure descriptor における(A)Sound Essence descriptorsを示す表である。
【表８】
2014142475.tif 000010
【００３７】
表９は、Extended structure descriptor におけるA.2 Sound-field descriptorsを示す表である。
【表９】
2014142475.tif 000011
【００３８】
Extended structure descriptorにおける（B）Sound-field configuration descriptorsと、（C）Sound Channel descriptorsについては、Basic structure descriptorと同一であるため、説明を省略する。
【００３９】
図２は、本発明の一実施形態に係る音響信号作成装置の構成を示す図である。音響信号作成装置は、番組制作において、番組交換の受取先や家庭での環境に合わせて受信した音響信号の変形・変換・入替を「容易に」行うことができるように「複数の音響空間層を持つ音響信号」の形式であるExtended structure descriptorによる音響番組制作を行う。音響信号作成装置は、Extended structure descriptorを、メタデータとして該当音響フォーマット信号のヘッダまたは各音響信号を構成する各ヘッダに入れて、番組交換や家庭への伝送を行う。音響信号作成装置は、ミキシング部１１と、メタデータ付加部１２と、コーディング部１３と、マルチプレクサ１４と、モニタリング部１５とを備える。
【００４０】
ミキシング部１１は、音響ソース信号（Audio Source 1〜M）をミキシングし「複数の音響空間層を持つ音響信号制作システム」から出力されるSpatial anchor、Commentary、Dialogue、Object signalsを含む複数の音響空間層の音響ミキシング信号をコーディング部１３に出力する。
【００４１】
メタデータ付加部１２は、Spatial anchor、Commentary、Dialogue、Object signalsを含む複数の音響空間層のExtended structure descriptorに記述するメタデータを作成し、コーディング部１３に出力する。
【００４２】
コーディング部１３は、ミキシング部１１からの音響ミキシング信号と、メタデータ付加部１２からのメタデータに基づき、Extended structure descriptorによる音響信号を作成し、当該音響信号を符号化してマルチプレクサ１４に出力する。
【００４３】
マルチプレクサ１４は、放送又は伝送により信号を音響信号再生装置に伝えるため、コーディング部１３からの符号化されたExtended structure descriptorによる音響信号をビットストリームに多重化する。マルチプレクサ１４は、多重化したビットストリームを電波またはＩＰ回線等で家庭など遠隔地に伝送する。
【００４４】
モニタリング部１５は、音響信号及びメタデータの内容確認に用いられる。
【００４５】
図３は、本発明の一実施形態に係る音響信号再生装置の構成を示す図である。音響信号再生装置は、スピーカ配置情報や再生するナレーション音像の位置情報などの再生システムの情報入力により、受信した音響信号に含まれるメタデータを利用して、制作した臨場感に匹敵する高品質音響を保持しつつ、使用者の希望するナレーション言語やナレーション再生位置にナレーション音声を制御して再現する。また、音響信号再生装置は、制作条件と異なるサイズの映像ディスプレイを設置した視聴環境においては、制作した臨場感に匹敵する高品質音響を保持しつつ、かつ映像と音像位置の一致が必要な「映音一致音源」の音響空間層については映像ディスプレイにあわせるように音像の空間位置を制御することで映像ディスプレイにあった音響を再現する。音響信号再生装置は、デマルチプレクサ２１と、デコーディング部２２と、レンダリング再生部２３と、環境情報入力部２４と、モニタリング部２５とを備える。
【００４６】
デマルチプレクサ２１は、放送又は伝送により受信したビットストリームに多重化されたExtended structure descriptorによる音響信号より、各音響空間層の音響信号及びメタデータを分離してデコーディング部２２に出力する。
【００４７】
デコーディング部２２は、デマルチプレクサ２１からの符号化された音響信号及びメタデータをデコードし、Spatial anchor、Commentary、Dialogue、Object signals、メタデータを含む信号をレンダリング再生部２３に出力する。
【００４８】
レンダリング再生部２３は、Extended structure descriptorに基づき、本来の音響信号をそのまま再生したり、視聴環境（例えばスピーカのチャネル数、ディスプレイサイズ）に基づくダウンミックスなどの音響信号変換を行ってから音響信号を再生したりする。すなわち、レンダリング再生部２３は、Extended structure descriptorに基づき、番組作成時と異なる音響再生環境において、音響信号の入替え、変形及び変換などのレンダリング処理をするものである。
【００４９】
環境情報入力部２４は、Extended structure descriptorとして記載されるメタデータの情報を視聴者に対して表示し、また、視聴者側にて、視聴者の環境情報として、多重音声の言語選択、再生システム情報（スピーカ構成、ディスプレイサイズ）などの入力を受け付け、入力された情報をレンダリング再生部２３に出力する。
【００５０】
モニタリング部２５は、レンダリング再生部２３による再生結果の確認や番組の視聴に用いられる。
【００５１】
以下、音響信号作成装置及び音響信号再生装置の具体的な使用形態について述べる。例えば、本発明に係る音響信号作成装置及び音響信号再生装置によれば、家庭視聴の環境に合わせて、ナレーション言語の選択やナレーション再生位置を容易に制御することが可能となる。また、本発明に係る音響信号作成装置及び音響信号再生装置によれば、標準制作条件と異なるサイズの映像ディスプレイを設置した視聴環境において、制作した臨場感に匹敵する高品質音響を保持しつつ、かつ映像と音像位置の一致が必要な「映音一致音源」の音響空間層については映像ディスプレイにあわせるように音像の空間位置を容易に制御して再生することが可能となる。
【００５２】
（作成形態１：複数言語に関する音響空間層を含む信号作成）
「複数の音響空間層を持つ音響信号」の形式であるExtended Structure descriptorを用いて番組制作を行う一例として、日本語や韓国語ナレーション・せりふ用の音響信号のほか、英語など多言語用の音響信号を制作する場合について示す。この例では、言語にかかわらず使用するいわゆるインターナショナルサウンド(Spatial anchor)で構成される音響空間層と特定言語で構成されるナレーション・せりふで構成される複数の音響空間層(Commentary, Dialogue)からなる「複数の音響空間層を持つ音響信号」の形式で音響信号制作システムが構成される。
【００５３】
この場合、メタデータ付加部１２は、Extended Structure descriptorに則り、表１０に示すメタデータを該当マルチチャンネル音響フォーマット信号のヘッダまたはマルチチャンネルを構成する各オーディオチャンネルの各ヘッダに付随する。
【表１０】
2014142475.tif 000012
【００５４】
（再生形態１：複数言語に関する音響空間層を含む信号再生）
使用者側ではスピーカ配置情報や再生するナレーション音像の位置情報などの再生システムの情報を入力して、使用者が任意に再生する位置の変更など音響信号を操作する。例えば家庭視聴環境において、制作した臨場感に匹敵する高品質音響を保持しつつ、希望するナレーション言語やナレーション再生位置などに関し、音響信号を制御して再現する。
【００５５】
この機能を実現するため、受信する使用者側では、環境情報入力部２４により、再生したいナレーション言語やナレーション再生位置など希望するナレーション音声の情報、スピーカの配置情報など再生システムの情報を入力する。レンダリング再生部２３は、メタデータに記載されている制作されているナレーション言語の中から指定された「ナレーション言語」層の音響信号を選択し、言語にかかわらず使用するいわゆるインターナショナルサウンドを加算して再生する。また、レンダリング再生部２３は、希望するナレーション再生位置とスピーカの配置情報および制作されている「ナレーション言語」層の音響信号を選択し、指定するナレーション再生位置から得られるようにレンダリング処理を施して制作した臨場感に匹敵する音質が得られるように信号に変換したのち、言語にかかわらず使用するいわゆるインターナショナルサウンドを加算して再生する。
【００５６】
図４は、言語にかかわらず使用するいわゆるインターナショナルサウンド(Spatial anchor)の音響空間層と「ナレーション言語」(Commentary, Dialogue)の音響空間層からなる複数の音響空間層の概念図を示す。
【００５７】
（作成形態２：映像と音声との一致不一致に関する音響空間層を含む番組作成）
「複数の音響空間層を持つ音響信号」の形式であるExtended Structure descriptorを用いて番組制作を行う一例として、「映像と音の位置の一致が必要な音」と「映像の位置に直接係らない音」を別個に制作記録する例を示す。音響信号には、俳優のせりふや画面内の物体から放射される音のように画面の中の「映像と音の位置の一致が必要な音」のほかに、番組全体の臨場感を高めるための効果音など「映像の位置に直接係らない音」があり、「映像と音の位置の一致が必要な音」と「映像の位置に直接係らない音」を別個に制作記録する場合がある。この例では、「映像と音の位置の一致が必要な音」で構成される音響空間層と「映像の位置に直接係らない音」からなる「複数の音響空間層を持つ音響信号」の形式で音響信号制作システムが構成される。
【００５８】
この場合、メタデータ付加部１２は、Extended Structure descriptorに則り、表１１に示すメタデータを該当マルチチャンネル音響フォーマット信号のヘッダまたはマルチチャンネルを構成する各オーディオチャンネルの各ヘッダに付随する。
【表１１】
2014142475.tif 000013
【００５９】
（再生形態２：映像と音声との一致不一致に関する音響空間層を含む番組再生）
音響信号再生装置は、例えば、図５のような制作条件と異なるサイズの映像ディスプレイを設置した視聴環境においては、制作した臨場感に匹敵する高品質音響を保持しつつ、かつ映像と音像位置の一致が必要な「映音一致音源」の音響空間層については映像ディスプレイにあわせるように音像の空間位置を制御して再現する。
【００６０】
この機能を実現するため、受信する使用者側では、環境情報入力部２４により、映像ディスプレイの配置情報など再生システムの情報を入力する。レンダリング再生部２３は、メタデータに記載されている制作時の映像ディスプレイ・スピーカ配置条件と受信使用者側の映像ディスプレイ・スピーカ配置が同一条件であれば受信した音響信号の変形・変換を行わず「映像と音の位置の一致が必要な音」と「映像の位置に直接係らない音」を加算して再生する。一方、レンダリング再生部２３は、映像ディスプレイかスピーカ配置のどちらか一方が同一条件でない場合、レンダリング処理またはダウンミックス処理を施して制作した臨場感に匹敵する音質が得られるように信号に変換したのち、加算して再生する。映像ディスプレイサイズが異なり、スピーカ配置が同一の場合には、レンダリング再生部２３は、「映像と音の位置の一致が望ましい音」の層の音響信号は、映像ディスプレイサイズと音像の幅が同一となるようにレンダリング処理を施す。レンダリング再生部２３は、レンダリング処理を施した「映像と音の位置の一致が望ましい音」と変形・変換を行わない「映像の位置に直接係らない音」を加算して再生する。ここで「映像と音の位置の一致が望ましい音」の音像幅を映像ディスプレイサイズと合わせるためのレンダリング処理は「映音一致音源」の音響空間層のChannel position data内で定義される Spatial position dataのAzimuth angleとElevation angleの空間位置情報を利用することで容易に行うことができる。
【００６１】
図６は、「映音一致音源」の音響空間層(Video linked object)「映像の位置に直接係らない」音響空間層(Spatial anchor, Dialogue)からなる複数の音響空間層の概念図を示す。
【００６２】
このように、本実施形態によれば、Extended Structure descriptorは、音響空間層の数と、音響空間層のタイプと、言語情報と、を含む。これにより、「複数の音響空間層を持つ音響信号」の形式に対応した音響信号記述法が実現される。
【００６３】
また、音響空間層のタイプは、音響空間層が、言語に係らず使用されるインターナショナルサウンドの音響空間層であるか、特定の言語で構成される音響空間層であるか、を示す、ことが好ましい。これにより、例えば家庭視聴環境において、制作した臨場感に匹敵する高品質音響を保持しつつ、希望するナレーション言語やナレーション再生位置などに関し、音響信号を制御して再現することが可能になる。
【００６４】
さらに、本実施形態によれば、Extended Structure descriptorは、音響空間層の数と、各音響空間層が映像に連動するかどうかを示す映像リンク識別子と、を含む。これにより、例えば制作条件と異なるサイズの映像ディスプレイを設置した視聴環境において、制作した臨場感に匹敵する高品質音響を保持しつつ、かつ映像と音像位置の一致が必要な「映音一致音源」の音響空間層については映像ディスプレイにあわせるように音像の空間位置を制御して再現することが可能になる。
【００６５】
さらに、本実施形態に係る音響信号作成装置及び音響信号再生装置によれば、Extended Structure descriptorで記述された音響信号を作成及び再生することが可能になる。また、本発明の範囲は、Extended Structure descriptorで記述された音響信号を電波またはIP回線等で家庭など遠隔地に伝送する装置、Extended Structure descriptorで記述された音響信号を記憶媒体に蓄積、記録する装置、Extended Structure descriptorで記述された音響信号が蓄積、記録された記憶媒体をも含むものである。
【００６６】
本発明の一実施形態に係る音響信号作成装置は、音響空間層の数と、音響空間層のタイプと、言語情報とを含むメタデータを作成し、入力音響信号及びメタデータに基づきExtended Structure descriptorによる音響信号を作成し、当該音響信号をビットストリームに多重化する。また、本発明の一実施形態に係る音響信号再生装置は、音響信号に含まれる音響空間層の数、音響空間層のタイプ、及び言語情報と、視聴者の環境情報とに応じて、音響信号を変換して再生する。これにより、「複数の音響空間層を持つ音響信号」を用いた番組作成及び視聴が可能となる。特に、音響信号再生装置は、視聴者により選択された特定の言語の音響信号を、インターナショナルサウンドに加算して再生する。これにより、受信したメタデータを用いて視聴者が任意に言語選択などの操作を行い、制作時の臨場感に匹敵する高品質音を保持しつつ、適切なナレーション言語やナレーション再生位置の入替・変形を行うことが可能となる。
【００６７】
また、本発明の一実施形態に係る音響信号作成装置は、音響空間層の数と、各音響空間層が映像に連動するかどうかを示す映像リンク識別子とを含むメタデータを作成し、入力音響信号及びメタデータに基づきExtended Structure descriptorによる音響信号を作成し、当該音響信号をビットストリームに多重化する。また、本発明の一実施形態に係る音響信号再生装置は、音響信号に含まれる音響空間層の数及び各音響空間層が映像に連動するかどうかを示す映像リンク識別子と、視聴者の環境情報とに応じて、音響信号を変換して再生する。これにより、「複数の音響空間層を持つ音響信号」を用いた番組作成及び視聴が可能となる。特に、音響信号再生装置は、映像リンク識別子が、音響空間層が映像に連動することを示す場合、当該音響空間層の音響信号に、視聴者の映像ディスプレイの情報に基づくレンダリング処理を施して再生する。これにより、視聴者側の映像ディスプレイ情報など再生システムの情報を入力し、メタデータに記載されている制作時の映像ディスプレイ情報を利用して、制作した臨場感に匹敵する高品質音を保持しつつ、かつ映像と音像位置の一致が必要な「映音一致音源」の音響空間層については映像ディスプレイにあわせるように音像の空間位置を変形・変換することが可能になる。
【００６８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップなどに含まれる機能などは論理的に矛盾しないように再配置可能であり、複数の手段やステップなどを１つに組み合わせたり、或いは分割したりすることが可能である。
【産業上の利用可能性】
【００６９】
本発明によれば、「複数の音響空間層を持つ音響信号」の表現や、当該音響信号を用いた番組作成及び視聴が可能となり、各種次世代オーディオシステムでの相互運用が実現され、番組作成時と異なる音響再生環境においても容易に音響信号の入替え、変形及び変換することができる。
【符号の説明】
【００７０】
１１  ミキシング部
１２  メタデータ付加部
１３  コーディング部
１４  マルチプレクサ
１５  モニタリング部
２１  デマルチプレクサ
２２  デコーディング部
２３  レンダリング再生部
２４  環境情報入力部
２５  モニタリング部
【図１】
2014142475.tif 000014
【図２】
2014142475.tif 000015
【図３】
2014142475.tif 000016
【図４】
2014142475.tif 000017
【図５】
2014142475.tif 000018
【図６】
2014142475.tif 000019
【図７】
2014142475.tif 000020